(57)【要約】      （修正有）【課題】ユーザーが容易に映像の特性を変更できるようにした電子黒板システムを提供する。【解決手段】複数のディスプレイパネルと、複数のパネルをタッチするポインティングデバイスと、ポインティングデバイスが複数のパネルのいずれか一つのパネルをタッチすることによって描かれるイメージが、いずれか一つのパネルに表示されるように処理する映像処理部と、第１のパネルを基準にあらかじめ設定された条件にしたがって複数のパネルからいずれか一方を選択し、第１のパネルに表示されるイメージに関連したメニューを選択したパネルに表示するように映像処理部を制御する制御部とを備え、制御部は、選択したパネルにメニューが表示された状態で、ポインティングデバイスにより複数のパネルのうち第２のパネルがタッチされると、第２のパネルを基準にあらかじめ設定された条件にしたがって選択されたパネルに、表示されたメニューを移動させる。【選択図】図８
2013257867.tif 000002
【特許請求の範囲】
【請求項１】
電子黒板システムにおいて、
複数のディスプレイパネルと、
前記複数のパネルをタッチするポインティングデバイスと、
前記ポインティングデバイスが前記複数のパネルのいずれか一つのパネルをタッチすることによって描かれるイメージが、前記いずれか一つのパネルに表示されるように処理する映像処理部と、
前記複数のパネルのうち第１のパネルが前記ポインティングデバイスによりタッチされると、前記第１のパネルを基準に、あらかじめ設定された条件にしたがって前記複数のパネルからいずれか一方を選択し、前記第１のパネルに表示される前記イメージに関連したメニューを前記選択したパネルに表示するように前記映像処理部を制御する制御部と、
を備え、
前記制御部は、前記選択したパネルに前記メニューが表示された状態で、前記ポインティングデバイスにより前記複数のパネルのうち第２のパネルがタッチされると、前記第２のパネルを基準に前記あらかじめ設定された条件にしたがって選択されたパネルに、前記表示されたメニューを移動させることを特徴とする、電子黒板システム。
【請求項２】
前記制御部は、前記第２のパネルを基準に前記複数のパネルからいずれか一方を選択する場合に、前記第２のパネルを選択することによって、前記イメージ及び前記メニューを同じパネルに表示することを特徴とする、請求項１に記載の電子黒板システム。
【請求項３】
前記制御部は、前記第２のパネルを基準に前記複数のパネルからいずれか一方を選択する場合に、前記第２のパネルに隣接するように配置された第３のパネルを選択することによって、前記イメージ及び前記メニューをそれぞれ異なったパネルに表示することを特徴とする、請求項１に記載の電子黒板システム。
【請求項４】
前記複数のパネルは行列方向に相互に平行に配置され、
前記第３のパネルは、前記第２のパネルの上下左右４方向のいずれか一方向に位置していることを特徴とする、請求項３に記載の電子黒板システム。
【請求項５】
前記メニューは、映像の特性を変更可能に設けられた一つ以上のオプションを含むことを特徴とする、請求項１に記載の電子黒板システム。
【請求項６】
前記映像の特性は、ラインの幅、カラー、スタイル、輝度、彩度、コントラストの少なくとも一つを含むことを特徴とする、請求項５に記載の電子黒板システム。
【請求項７】
前記ポインティングデバイスは、前記複数のパネルのいずれか一つのパネルをタッチする時に、前記タッチした位置の座標情報を算出し、
前記映像処理部は、前記ポインティングデバイスで算出した前記座標情報に基づいて、前記イメージを前記タッチしたいずれか一つのパネルに表示することを特徴とする、請求項１に記載の電子黒板システム。
【請求項８】
前記複数のパネルのそれぞれに対して光を生成及び供給する複数のバックライトユニットをさらに備え、前記複数のバックライトユニットは相互に異なるようにあらかじめ設定された駆動周波数でそれぞれ駆動し、
前記ポインティングデバイスは、前記バックライトユニットの駆動周波数を感知する第１のセンサーを有することを特徴とする、請求項１乃至７に記載の電子黒板システム。
【請求項９】
前記ポインティングデバイスは、前記第１のセンサーにより感知された駆動周波数を前記制御部に伝達し、
前記制御部は、前記ポインティングデバイスから受信した前記駆動周波数に基づいて、前記ポインティングデバイスによりタッチされたパネルを判別することを特徴とする、請求項８に記載の電子黒板システム。
【請求項１０】
前記ポインティングデバイスは、前記第１のセンサーにより感知された駆動周波数に対応する前記パネルの識別ＩＤ情報を取得し、前記取得した識別ＩＤ情報を前記制御部に伝達することを特徴とする、請求項８または９に記載の電子黒板システム。
【請求項１１】
前記パネルは、各ピクセルに対応する座標によって異なったパターンが形成されたパターン層を有し、
前記ポインティングデバイスは、前記タッチ位置に形成されたパターンに基づいて前記座標情報を算出するように前記パターンを感知する第２のセンサーを有することを特徴とする、請求項７乃至１０に記載の電子黒板システム。
【請求項１２】
前記第２のセンサーは、赤外線により前記パターンを感知することを特徴とする、請求項１１に記載の電子黒板システム。
【請求項１３】
複数のディスプレイパネルを有するディスプレイ装置と、前記複数のディスプレイパネルをタッチするポインティングデバイスと、を備える電子黒板システムの制御方法であって、
前記ポインティングデバイスが前記複数のパネルのうち第１のパネルをタッチすることと、
前記ディスプレイ装置が前記ポインティングデバイスにより前記第１のパネルに描かれたイメージを前記第１のパネルに表示し、前記第１のパネルを基準に、あらかじめ設定された条件にしたがって前記複数のパネルからいずれか一方を選択し、前記第１のパネルに表示された前記イメージに関連したメニューを前記選択したパネルに表示することと、
前記ポインティングデバイスが前記複数のパネルのうち第２のパネルをタッチすることと、
前記ディスプレイ装置が前記ポインティングデバイスにより前記第２のパネルに描かれたイメージを前記第２のパネルに表示し、前記第２のパネルを基準に前記あらかじめ設定された条件にしたがって選択された前記パネルに、前記表示されたメニューを移動させることと、
を含むことを特徴とする、電子黒板システムの制御方法。
【請求項１４】
前記第２のパネルを基準に、前記あらかじめ設定された条件にしたがって前記複数のパネルからいずれか一方を選択することは、前記イメージ及び前記メニューが同じパネルに表示されるように前記第２のパネルを選択することを含むことを特徴とする、請求項１３に記載の電子黒板システムの制御方法。
【請求項１５】
前記第２のパネルを基準に、あらかじめ設定された条件にしたがって前記複数のパネルからいずれか一方を選択することは、前記イメージ及び前記メニューがそれぞれ異なったパネルに表示されるように、前記第２のパネルに隣接するように配置された第３のパネルを選択することを含むことを特徴とする、請求項１３に記載の電子黒板システムの制御方法。
【発明の詳細な説明】
【技術分野】
【０００１】
本発明は、電子黒板システム及びその制御方法、並びにディスプレイ装置に係り、特に、複数のディスプレイパネルを備えた電子黒板システムにおいてポインティングデバイスがタッチするディスプレイパネルを判別し、その結果に基づいて、使用者の便宜を図ったサービス環境を提供することができる電子黒板システム及びその制御方法、並びにディスプレイ装置に関する。
【背景技術】
【０００２】
ディスプレイ装置は、外部から入力されたり内部に保存されている映像信号／映像データを様々なプロセスによって処理してディスプレイパネル（ｐａｎｅｌ）またはスクリーン（ｓｃｒｅｅｎ）上に映像で表示する装置であり、その方式によって、ＴＶ、モニター、携帯用メディアプレーヤーなどの様々なものがある。技術の発展に伴い、ディスプレイ装置には様々な機能が追加及び補強されてきており、例えば、ディスプレイ装置は、ディスプレイパネルへのタッチまたは光ビームの照射が可能なポインティングデバイスを備える電子黒板システムにすることができる。
【０００３】
電子黒板システムは、ポインティングデバイスがパネルまたはスクリーン上に形成した軌跡を感知し、この感知された軌跡に対応する映像を該当のパネルまたはスクリーン上に表示する。電子黒板システムには種々の方式で具現されており、例えば、ディスプレイパネルを感圧式タッチスクリーンとし、ポインティングデバイスによるパネル上の圧力を感知する方式と、ポインティングデバイスから投射される光ビームによりスクリーン上に結像した光の座標をＣＣＤ（ｃｈａｒｇｅ  ｃｏｕｐｌｅｄ  ｄｅｖｉｃｅ）カメラで感知する方式などがある。また、ディスプレイパネルがＰＤＰ（ｐｌａｓｍａ  ｄｉｓｐｌａｙ  ｐａｎｅｌ）であると、パネル上に放射される赤外線信号及びこれを感知するポインティングデバイスを用いた電子黒板システムの構成が可能である。ただし、これらの具現方式は例示に過ぎず、電子黒板システムは、様々な構造のポインティングデバイス及びディスプレイ装置により具現可能である。
【０００４】
ここで、電子黒板システムを大画面の構成にする場合には、ポインティングデバイスを把持したユーザーが相対的に多く移動するから、画面上に表示された映像の映像特性をユーザーが容易に調整できるような構成が望まれている。
【発明の概要】
【発明が解決しようとする課題】
【０００５】
本発明は上記の問題点に鑑みなされたもので、その目的は、ユーザーが移動しながらポインティングデバイスで大画面のパネル上をタッチする場合にも、ユーザーが容易に映像の特性を変更できるようにした電子黒板システムを提供することにある。
【課題を解決するための手段】
【０００６】
本発明の実施例に係る電子黒板システムは、複数のディスプレイパネルと、前記複数のパネルをタッチするポインティングデバイスと、前記ポインティングデバイスが前記複数のパネルのいずれか一つのパネルをタッチすることによって描かれるイメージが、前記いずれか一つのパネルに表示されるように処理する映像処理部と、前記複数のパネルのうち第１のパネルが前記ポインティングデバイスによりタッチされると、前記第１のパネルを基準に、あらかじめ設定された条件にしたがって前記複数のパネルからいずれか一方を選択し、前記第１のパネルに表示される前記イメージに関連したメニューを前記選択したパネルに表示するように前記映像処理部を制御する制御部と、を備え、前記制御部は、前記選択したパネルに前記メニューが表示された状態で、前記ポインティングデバイスにより前記複数のパネルのうち第２のパネルがタッチされると、前記第２のパネルを基準に前記あらかじめ設定された条件にしたがって選択されたパネルに、前記表示されたメニューを移動させることを特徴とする。
【０００７】
ここで、前記制御部は、前記第２のパネルを基準に前記複数のパネルからいずれか一方を選択する場合に、前記第２のパネルを選択することによって、前記イメージ及び前記メニューを同じパネルに表示してもよい。
【０００８】
また、前記制御部は、前記第２のパネルを基準に前記複数のパネルからいずれか一方を選択する場合に、前記第２のパネルに隣接するように配置された第３のパネルを選択することによって、前記イメージ及び前記メニューをそれぞれ異なったパネルに表示してもよい。
【０００９】
ここで、前記複数のパネルは行列方向に相互に平行に配置され、前記第３のパネルは、前記第２のパネルの上下左右４方向のいずれか一方向に位置しているものでよい。
【００１０】
また、前記メニューは、前記映像の特性を変更可能に設けられた一つ以上のオプションを含んでいてもよい。
【００１１】
ここで、前記映像の特性は、ラインの幅、カラー、スタイル、輝度、彩度、コントラストの少なくとも一つを含むことができる。
【００１２】
また、前記ポインティングデバイスは、前記複数のパネルのいずれか一つのパネルをタッチする時に、前記タッチした位置の座標情報を算出し、前記映像処理部は、前記ポインティングデバイスで算出した前記座標情報に基づいて前記イメージを前記タッチしたいずれか一つのパネルに表示してもよい。
【００１３】
前記電子黒板システムは、前記複数のパネルのそれぞれに対して光を生成及び供給する複数のバックライトユニットをさらに備え、前記複数のバックライトユニットは相互に異なるようにあらかじめ設定された駆動周波数でそれぞれ駆動し、前記ポインティングデバイスは、前記バックライトユニットの駆動周波数を感知する第１のセンサーを有してもよい。
【００１４】
ここで、前記ポインティングデバイスは、前記第１のセンサーにより感知された駆動周波数を前記制御部に伝達し、前記制御部は、前記ポインティングデバイスから受信した前記駆動周波数に基づいて、前記ポインティングデバイスによりタッチされたパネルを判別することができる。
【００１５】
また、前記ポインティングデバイスは、前記第１のセンサーにより感知された駆動周波数に対応する前記パネルの識別ＩＤ情報を取得し、該取得した識別ＩＤ情報を前記制御部に伝達してもよい。
【００１６】
前記パネルは、各ピクセルに対応する座標によって異なったパターンが形成されたパターン層を有し、前記ポインティングデバイスは、前記タッチ位置に形成された前記パターンに基づいて前記座標情報を算出するように前記パターンを感知する第２のセンサーを有してもよい。
【００１７】
前記第２のセンサーは、赤外線により前記パターンを感知してもよい。
【００１８】
また、本発明の実施例に係る複数のディスプレイパネルを有するディスプレイ装置と、前記複数のディスプレイパネルをタッチするポインティングデバイスと、を備える電子黒板システムの制御方法は、前記ポインティングデバイスが前記複数のパネルのうち第１のパネルをタッチすることと、前記ディスプレイ装置が前記ポインティングデバイスにより前記第１のパネルに描かれたイメージを前記第１のパネルに表示し、前記第１のパネルを基準に、あらかじめ設定された条件にしたがって前記複数のパネルからいずれか一方を選択し、前記第１のパネルに表示された前記イメージに関連したメニューを前記選択したパネルに表示することと、前記ポインティングデバイスが前記複数のパネルのうち第２のパネルをタッチすることと、前記ディスプレイ装置が前記ポインティングデバイスにより前記第２のパネルに描かれたイメージを前記第２のパネルに表示し、前記第２のパネルを基準に前記あらかじめ設定された条件にしたがって選択された前記パネルに、前記表示されたメニューを移動させることと、を含むことを特徴とする。
【００１９】
ここで、前記第２のパネルを基準に、前記あらかじめ設定された条件にしたがって前記複数のパネルからいずれか一方を選択することは、前記イメージ及び前記メニューが同じパネルに表示されるように前記第２のパネルを選択することを含んでもよい。
【００２０】
また、前記第２のパネルを基準に、あらかじめ設定された条件にしたがって前記複数のパネルからいずれか一方を選択することは、前記イメージ及び前記メニューがそれぞれ異なったパネルに表示されるように、前記第２のパネルに隣接するように配置された第３のパネルを選択することを含んでもよい。
【発明の効果】
【００２１】
本発明によれば、大画面の構成を有する電子黒板システムにおいてユーザーが移動しながらポインティングデバイスでディスプレイパネルをタッチしても、ユーザーが対応映像の映像特性を容易に変更することが可能になる。
【図面の簡単な説明】
【００２２】
【図１】本発明の一実施例に係る電子黒板システムの例示図である。
【図２】図１の電子黒板システムにおけるディスプレイ装置の構成ブロック図である。
【図３】図２のディスプレイ装置におけるディスプレイ部の構成ブロック図である。
【図４】図２のディスプレイ装置におけるいずれか一ディスプレイパネルの要部断面図である。
【図５】図４のディスプレイパネルにおけるいずれか一ピクセルを拡大した平面図である。
【図６】図１の電子黒板システムにおけるポインティングデバイスの構成ブロック図である。
【図７】図１の電子黒板システムにおいて、ポインティングデバイスのディスプレイパネルへのタッチによって当該のディスプレイパネルに対応映像を表示する一例を示す図である。
【図８】図１の電子黒板システムにおいて、ポインティングデバイスのディスプレイパネルへのタッチ動作に対応するメニューの表示方法の一例を示す図である。
【図９】図１の電子黒板システムにおいて、ポインティングデバイスのディスプレイパネルへのタッチ動作に対応するメニューの表示方法の他の例を示す図である。
【図１０】図９におけるディスプレイパネルのうち、第４のパネル及び第５のパネルを示す例示図である。
【図１１】図１の電子黒板システムにおいてポインティングデバイスの制御方法を示すフローチャートである。
【図１２】図１の電子黒板システムにおいてディスプレイ装置の制御方法を示すフローチャートである。
【発明を実施するための形態】
【００２３】
以下、添付の図面を参照して本発明について詳細に説明する。以下の実施例では、本発明の思想と直接関連している構成についてのみ説明し、その他の構成については説明を省略する。ただし、それら説明の省略された構成が、本発明の思想が適用された装置またはシステムの具現において不要であるということを意味するわけでない。
【００２４】
図１は、本発明の一実施例に係る電子黒板システム１を示す図である。図１に示すように、本実施例に係る電子黒板システム１は、映像を表示するディスプレイ装置１００と、ディスプレイ部１３０上の所定の位置をタッチするためのポインティングデバイス２００と、を備える。
【００２５】
ディスプレイ装置１００は、ディスプレイ部１３０を備えたＴＶまたはコンピュータモニターなどにすればよく、その具現方式は特に限定されない。ただし、本実施例に係るディスプレイ装置１００は、大画面のスクリーンとするために、複数のディスプレイパネル１３１乃至１３９を有するディスプレイ部１３０が適用される。複数のディスプレイパネル１３１乃至１３９は、壁面に沿ってまたは地面上に起立して行列方向に相互並んで配置される。
【００２６】
同図では、ディスプレイ部１３０が９個のディスプレイパネル１３１乃至１３９を有するとしたが、これは一例示に過ぎず、ディスプレイパネルの数は様々に変更可能である。ここで、各ディスプレイパネル１３１乃至１３９はポインティングデバイス２００によりタッチされる。
【００２７】
また、同図のディスプレイ装置１００は、映像処理部１２０とディスプレイ部１３０とが分離されているとしている。例えば、映像処理部１２０はデスクトップ（ｄｅｓｋ−ｔｏｐ）、ラップトップ（ｌａｐ−ｔｏｐ）などのようなコンピュータ本体とすることができる。また、映像処理部１２０は、ポインティングデバイス２００と通信するように、ドングル（ｄｏｎｇｌｅ）またはモジュール（ｍｏｄｕｌｅ）形態の装置通信部１４０が装着される。
【００２８】
ただし、これは装置設計に当たって変更可能な事項であり、映像処理部１２０とディスプレイ部１３０とが一つのハウジング（図示せず）に収容される構成にしてもよい。この場合、装置通信部１４０はハウジング（図示せず）に内蔵されてもよい。
【００２９】
ポインティングデバイス２００はユーザーにより把持され、複数のディスプレイパネル１３１乃至１３９のいずれか一つ（例えば、１３５）をタッチする。この時、ポインティングデバイス２００は、ディスプレイパネル１３５上のタッチされた位置の座標情報を算出する。
【００３０】
ポインティングデバイス２００は、ディスプレイパネル１３５上へのポインティングデバイス２００のタッチ位置に対応する座標情報を算出し、算出した座標情報を装置通信部１４０を介して映像処理部１２０に無線で伝達する。すると、映像処理部１２０は、複数のディスプレイパネル１３１乃至１３９のうち、ポインティングデバイス２００がタッチしたディスプレイパネル１３５上に該当の映像を表示する。
【００３１】
そのため、ユーザーがポインティングデバイス２００を把持してディスプレイパネル１３１乃至１３９上の所定位置をタッチすると、当該タッチ位置に対応する映像が映像処理部１２０によりディスプレイパネル１３１乃至１３９に表示される。
【００３２】
以下、電子黒板システム１の具体的な構成について図２を参照して説明する。図２は、電子黒板システム１におけるディスプレイ装置１００の概略的な構成を示すブロック図である。
【００３３】
図２に示すように、本実施例に係るディスプレイ装置１００は、外部から映像信号／映像データを受信する映像受信部１１０と、映像受信部１１０から受信される映像信号を、あらかじめ設定された映像処理プロセスによって処理する映像処理部１２０と、複数のディスプレイパネル１３１乃至１３９を有し、映像処理部１２０で処理される映像信号を表示するディスプレイ部１３０と、ポインティングデバイス２００と通信する装置通信部１４０と、ユーザーの操作によって、あらかじめ設定されたコマンドを出力するユーザー入力部１５０と、ディスプレイ装置１００の諸般動作を制御する装置制御部１６０と、を備える。
【００３４】
以下、ディスプレイ装置１００の各構成について具体的に説明する。
【００３５】
映像受信部１１０は、有線または無線で映像信号／映像データを受信して映像処理部１２０に伝達するもので、受信する映像信号の規格に対応して様々な方式で具現可能である。例えば、映像受信部１１０は、ＲＦ（ｒａｄｉｏ  ｆｒｅｑｕｅｎｃｙ）信号、コンポジット（ｃｏｍｐｏｓｉｔｅ）／コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ディスプレイポート（Ｄｉｓｐｌａｙ  Ｐｏｒｔ）、ＵＤＩ（ｕｎｉｆｉｅｄ  ｄｉｓｐｌａｙ  ｉｎｔｅｒｆａｃｅ）、またはワイヤレス（ｗｉｒｅｌｅｓｓ）ＨＤ規格などに基づく映像信号を受信することができる。
【００３６】
映像処理部１２０は、映像信号に対して、あらかじめ設定された様々な映像処理プロセスを行い、プロセスの行われた映像信号をディスプレイ部１３０に出力することによって映像が表示されるようにする。映像処理部１２０が行うプロセスの種類は特に限定されず、例えば、種々の映像フォーマットに対応するデコーディング（ｄｅｃｏｄｉｎｇ）、デインターレーシング（ｄｅ−ｉｎｔｅｒｌａｃｉｎｇ）、フレームリフレッシュレート（ｆｒａｍｅ  ｒｅｆｒｅｓｈ  ｒａｔｅ）変換、スケーリング（ｓｃａｌｉｎｇ）、映像画質改善のためのノイズ低減（ｎｏｉｓｅ  ｒｅｄｕｃｔｉｏｎ）、ディテール強化（ｄｅｔａｉｌ  ｅｎｈａｎｃｅｍｅｎｔ）などが挙げられる。
【００３７】
映像処理部１２０は、装置制御部１６０からディスプレイパネル１３１乃至１３９の識別ＩＤ情報及び座標情報が伝達されると、当該座標情報に対応する映像を、当該識別ＩＤ情報に対応するディスプレイパネル１３１乃至１３９上に表示する。例えば、映像処理部１２０は、装置制御部１６０から受信したＩＤ情報が第１のパネル１３１に対応すると判断すると、装置制御部１６０から受信した座標情報に基づいて線または点で表示された映像を生成して第１のパネル１３１に表示する。
【００３８】
映像処理部１２０は、ＣＰＵ（図示せず）、グラフィックカード（図示せず）、記憶媒体（図示せず）及びその他オプションカード（図示せず）などが装着されたメインボード（図示せず）を含むコンピュータ本体とすればよいが、これは一例示に過ぎず、限定事項ではない。
【００３９】
ディスプレイ部１３０は、複数のディスプレイパネル１３１乃至１３９を有している。ディスプレイパネル１３１乃至１３９は、映像処理部１２０から出力される映像信号に基づいて映像を板面上に表示する。本実施例に係るディスプレイパネル１３１乃至１３９は液晶パネルとする。ディスプレイ部１３０の詳細な構成については後述する。
【００４０】
装置通信部１４０は、ポインティングデバイス２００と無線通信し、ポインティングデバイス２００から受信したデータを装置制御部１６０に伝達する。装置通信部１４０は、例えば、ジグビー（ｚｉｇｂｅｅ）方式のようなＲＦ通信規格に基づいてデータを受信すればよく、特定周波数帯域、すなわち、あらかじめ設定された無線通信チャンネルを通じてポインティングデバイス２００からデータを受信する。
【００４１】
ユーザー入力部１５０はユーザーの操作及び入力に応じて、あらかじめ設定された種々の制御コマンドまたは情報を装置制御部１６０に伝達する。ユーザー入力部１５０は、ディスプレイ装置１００の外側に設けられたメニューキー（ｍｅｎｕ−ｋｅｙ）及び入力パネル（ｐａｎｅｌ）や、ディスプレイ装置１００から離れているリモコン（ｒｅｍｏｔｅｃｏｎｔｒｏｌｌｅｒ）などとする。または、ユーザー入力部１５０は、ディスプレイ部１３０と一体型にしてもよい。すなわち、ディスプレイパネル１３１乃至１３９がタッチスクリーン（ｔｏｕｃｈ−ｓｃｒｅｅｎ）であると、ユーザーは、ディスプレイパネル１３１乃至１３９に表示された入力メニュー（図示せず）を介して、あらかじめ設定されたコマンドを装置制御部１６０に伝達すればいい。
【００４２】
装置制御部１６０は、ポインティングデバイス２００がディスプレイパネル１３１乃至１３９のいずれか一つのパネルをタッチし、該タッチ結果によるデータをポインティングデバイス２００から装置通信部１４０を介して受信すると、受信したデータに基づいて映像が表示されるように映像処理部１２０を制御する。例えば、装置制御部１６０は、ポインティングデバイス２００から受信した受信データに基づいて、複数のディスプレイパネル１３１乃至１３９のうち、ポインティングデバイス２００がタッチしたディスプレイパネルを判断し、特定したディスプレイパネル１３１乃至１３９のどの座標上をタッチしたか判断する。装置制御部１６０は、この判断結果に基づいて、該当のディスプレイパネル１３１乃至１３９上に映像が表示されるように制御する。
【００４３】
以下、ディスプレイ部１３０のより詳細な構成を、図３を参照して説明する。図３は、ディスプレイ部１３０の構成ブロック図である。
【００４４】
本実施例に係る複数のディスプレイパネル１３１乃至１３９は液晶パネルとする。複数のディスプレイパネル１３１乃至１３９は、自発的に発光しない非発光素子であることから、ディスプレイ部１３０は、各ディスプレイパネル１３１乃至１３９上に映像が表示されるように、複数のディスプレイパネル１３１乃至１３９にそれぞれ光を生成及び供給する複数のバックライトユニット１３１ａ乃至１３９ａをさらに備える。
【００４５】
バックライトユニット１３１ａ乃至１３９ａは、光を生成する光源（図示せず）と、光源（図示せず）から発された光の方向及び特性を変更させる導光板（図示せず）、反射シート（図示せず）、光学シート類（図示せず）を備える。特に、光源（図示せず）は、例えばＬＥＤ（ｌｉｇｈｔ−ｅｍｉｔｔｉｎｇ  ｄｉｏｄｅ）とし、パルス幅変調（Ｐｕｌｓｅ−ｗｉｄｔｈ  ｍｏｄｕｌａｔｉｏｎ、ＰＷＭ）方式によって制御されることで、光を生成し、光の輝度を変更することができる。すなわち、バックライトユニット１３１ａ乃至１３９ａの駆動は、バックライトユニット１３１ａ乃至１３９ａに設けられた光源（図示せず）の駆動を意味する。
【００４６】
このようなバックライトユニット１３１ａ乃至１３９ａの駆動において、ＰＷＭ制御によるデューティ比（ｄｕｔｙ  ｒａｔｉｏ）の幅を制御することによって、バックライトユニット１３１ａ乃至１３９ａがディスプレイパネル１３１乃至１３９に供給する光の輝度レベルが調整される。しかし、ＰＷＭ制御によるバックライトユニット１３１ａ乃至１３９ａの駆動周波数は、光の輝度レベルに影響を与えない。すなわち、各バックライトユニット１３１ａ乃至１３９ａに相互に異なった駆動周波数を設定しても、各バックライトユニット１３１ａ乃至１３９ａが生成する光の輝度レベルは一様であり、各ディスプレイパネル１３１乃至１３９に表示される映像間には輝度ばらつきが生じない。
【００４７】
そのため、複数のディスプレイパネル１３１乃至１３９にそれぞれ対応するバックライトユニット１３１ａ乃至１３９ａに相互に異なった駆動周波数をあらかじめ設定し、いずれかのバックライトユニット１３１ａ乃至１３９ａの駆動周波数を感知すると、感知した駆動周波数に基づいて、複数のディスプレイパネル１３１乃至１３９のうちいずれか一つのディスプレイパネルを特定することができる。
【００４８】
このような原理に基づいて、ポインティングデバイス２００がタッチしたディスプレイパネル１３１乃至１３９を特定することができ、これに関する詳細な説明は後述する。
【００４９】
以下、本実施例に係るディスプレイパネル３００について、図４を参照して説明する。図４は、ディスプレイパネル３００の要部断面図である。
【００５０】
同図のディスプレイパネル３００は、図１乃至図３における各ディスプレイパネル１３１乃至１３９と同じ構造が適用される。同図の構造は、様々な液晶パネルの具現可能な構造の一例示に過ぎず、実際の製品化に当たってディスプレイパネル３００が同図の構造に限定されるものではない。本発明の思想範囲内で、ディスプレイパネル３００の構造は、様々な設計変更が適用されてもよい。
【００５１】
図４に示すように、ディスプレイパネル３００は、上部基板３１０と、上部基板３１０に向かい合うように配置された下部基板３２０と、上部基板３１０及び下部基板３２０の間に充填された液晶層３３０と、液晶層３３０及び下部基板３２０の間に挟持されたカラーフィルター層３４０と、上部基板３１０及び下部基板３２０の上下側にそれぞれ積層された偏光フィルム３５０，３６０と、上側偏光フィルム３５０上に積層された反射抑制フィルム３７０と、を有する。
【００５２】
上部基板３１０及び下部基板３２０は、光の進行方向に沿って所定の間隔をおいて相互に向かい合うように配置された透明基板である。上部基板３１０及び下部基板３２０は、ガラス（ｇｌａｓｓ）材質またはプラスチック材質の基板とする。上部基板３１０及び下部基板３２０は、液晶層３３０の駆動方式によって異なった特性が要求される。例えば、液晶層３３０の駆動方式が受動行列（ｐａｓｓｉｖｅ  ｍａｔｒｉｘ）方式であると、ソーダ石灰ガラス（ｓｏｄａ  ｌｉｍｅ  ｇｌａｓｓ）が用いられ、能動行列（ａｃｔｉｖｅ  ｍａｔｒｉｘ）であると、無アルカリガラス（ａｌｋａｌｉ  ｆｒｅｅ  ｇｌａｓｓ）やほうけい酸ガラス（ｂｏｒｏｓｉｌｉｃａｔｅ  ｇｌａｓｓ）が用いられるとよい。
【００５３】
液晶層３３０は、上部基板３１０及び下部基板３２０の間に配置され、印加される駆動信号によって液晶の配列が変化することで光透過率が調整される。ここで、上部基板３１０及び液晶層３３０の間、または下部基板３２０及び液晶層３３０の間には、駆動信号を伝達するための導電性のＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）などの透明材質を含む電極層（図示せず）が形成されていてもよい。
【００５４】
普通の液体は分子の方向と配列に規則性がないが、液晶は、ある程度の規則性を有する液体相（ｌｉｑｕｉｄ  ｐｈａｓｅ）に似ている。例えば、加熱して溶解すると、複屈折などの異方性を示す液体相になる固体がある。液晶は、複屈折や色の変化のような光学的特徴を有する。規則性は結晶（ｃｒｙｓｔａｌ）の性質であり、物質の相は液体（ｌｉｑｕｉｄ）に似ているので、これら２種類の性質を有する物質という意味から、液晶（ｌｉｑｕｉｄ  ｃｒｙｓｔａｌ）と呼ぶ。このような液晶に電圧が印加されると、分子の配列が変化し、これで光学的性質が変わる。
【００５５】
液晶層３３０の液晶は、分子配列によって、ネマチック（ｎｅｍａｔｉｃ）、コレステリック（ｃｈｏｌｅｓｔｅｒｉｃ）、スメクチック（ｓｍｅｃｔｉｃ）、強誘電性の液晶に分類することができる。
【００５６】
カラーフィルター層３４０は、液晶層３３０及び下部基板３２０の間、または液晶層３３０及び上部基板３１０の間に挟持され、液晶層３３０の各ピクセルに対して所定カラーの光が出射するように入射光をフィルタリングする。
【００５７】
偏光フィルム３５０，３６０は、偏光されていない光を特定方向に偏光された光に変化させ、入射光のうち、特定方向に振動する光のみを透過させ、その他の方向に振動する光は吸収する。偏光フィルム３５０，３６０は、入射光の偏光軸の回転度合によって、透過させる光の強度を調節し、グレースケールの表現を可能にさせることで、ディスプレイパネル３００上の映像を視認可能にする。
【００５８】
本実施例に係る偏光フィルム３５０，３６０は、上部基板３１０の上側及び下部基板３２０の下側にそれぞれ積層されるとするが、偏光フィルム３５０，３６０は設計方式によっていずれか一側にのみ設置されるようにしてもよい。
【００５９】
反射抑制フィルム３７０はディスプレイパネル３００の最上層に積層される。反射抑制フィルム３７０は、表面反射光を乱反射させることによって、外光による表面反射を減少させる。反射抑制フィルム３７０は、アンチグレア（ａｎｔｉ−ｇｌａｒｅ）フィルムまたはアンチリフレクション（ａｎｔｉ−ｒｅｆｌｅｃｔｉｏｎ）フィルムとすればよい。または、ディスプレイパネル３００に反射抑制フィルム３７０を適用せずに、偏光フィルム３５０上にシリコン粒子を散布することによって乱反射処理を行ってもよい。
【００６０】
一方、図５は、カラーフィルター層３４０における複数のピクセルＰのいずれか一ピクセルＰを拡大した平面図である。
【００６１】
図５に示すように、一つのピクセルＰは、複数のカラー、例えば、ＲＧＢの３カラーにそれぞれ対応する３サブピクセルＰ１，Ｐ２，Ｐ３を有する。すなわち、ピクセルＰは、レッド（ｒｅｄ）カラーの光出射領域に対応するレッドサブピクセルＰ１と、グリーン（ｇｒｅｅｎ）カラーの光出射領域に対応するグリーンサブピクセルＰ２と、ブルー（ｂｌｕｅ）カラーの光出射領域に対応するブルーサブピクセルＰ３と、を有する。
【００６２】
カラーフィルター層３４０は、ディスプレイパネル３００に入射する光をＲＧＢカラーに変換して液晶層３３０に伝達する。各ピクセルＰは、ＲＧＢカラーのそれぞれに対応するサブピクセルＰ１，Ｐ２，Ｐ３に対してカラー別フィルタリングを行う。そのため、光が各サブピクセルＰ１，Ｐ２，Ｐ３を通過する時に、カラーフィルター層３４０によりサブピクセルごとに異なったカラーの光が出射する。
【００６３】
ここで、各サブピクセルＰ１，Ｐ２，Ｐ３に対応するカラーフィルター層３４０上には、ピクセルＰ間の区分、またはピクセルＰ中のサブピクセルＰ１，Ｐ２，Ｐ３の区分のために、マスク（ｍａｓｋ）Ｍ、フレームＭまたは格子Ｍが積層される。マスクＭ上には、あらかじめ設定されたパターン（図示せず）を種々に形成してもよい。このパターン（図示せず）は、マスクＭ上に陰刻または陽刻にしてもよく、マスクＭからサブピクセルＰ１，Ｐ２，Ｐ３の内側に突出するもの、またはマスクＭから光出射方向に平行な方向に突出するもの等、様々な形態でマスクＭ上に形成されてもよい。
【００６４】
もし、ディスプレイパネル３００における各ピクセルＰに対してマスクＭ別に異なったパターン（図示せず）を形成した構造下で、いずれかのピクセルＰのマスクＭに対するパターン（図示せず）を感知すると、該感知されたパターン（図示せず）に基づいてディスプレイパネル３００内で当該ピクセルＰの位置を特定することができる。
【００６５】
この原理に基づいて、特定したディスプレイパネル３００内でポインティングデバイス２００がタッチしたタッチ位置の座標情報を算出することができ、これに関する詳細な説明は後述する。
【００６６】
一方、図５では、サブピクセルＰ１，Ｐ２，Ｐ３上のマスクＭにパターン（図示せず）が形成された場合について説明しているが、本発明の思想はこれに限定されない。例えば、ディスプレイパネル３００の板面全体にわたって各ピクセルＰに対応するようにパターン（図示せず）が形成されているパターン層（図示せず）が上部基板３１０の上側に積層される構造も可能である。
【００６７】
以下、本実施例に係るポインティングデバイス２００の構成について図６を参照して具体的に説明する。図６は、ポインティングデバイス２００の構成ブロック図である。
【００６８】
図６に示すように、ポインティングデバイス２００は、ディスプレイ装置１００と通信する通信部２１０と、ポインティングデバイス２００がタッチするディスプレイパネル１３１乃至１３９を判別するための第１のセンサー２２０と、ポインティングデバイス２００がタッチするタッチ位置の座標情報を算出するための第２のセンサー２３０と、第１のセンサー２２０及び第２のセンサー２３０の感知結果に基づいて、ポインティングデバイス２００がタッチしたディスプレイパネル１３１乃至１３９の判別及びタッチ位置の座標情報を算出する制御部２４０と、を備える。
【００６９】
通信部２１０は、ディスプレイ装置１００及びポインティングデバイス２００間にあらかじめ設定された通信規格に基づいて、制御部２４０の制御に応じて所定のデータをディスプレイ装置１００に伝送する。
【００７０】
第１のセンサー２２０は、ポインティングデバイス２００が複数のディスプレイパネル１３１乃至１３９（図３参照）のいずれか一方をタッチした時に、該タッチされたディスプレイパネルに光を供給するいずれか一つのバックライトユニット１３１ａ乃至１３９ａ（図３参照）の駆動周波数を感知する。そのために、第１のセンサー２２０は光の点滅を感知するフォトセンサーまたは輝度センサーとすればよい。
【００７１】
第２のセンサー２３０は、ポインティングデバイス２００が複数のディスプレイパネル１３１乃至１３９のいずれか一方をタッチした時に、ディスプレイパネル１３１乃至１３９上のタッチ位置に対応するパターン（図示せず）を感知する。ここで、パターン（図示せず）は、図５で説明した通りである。第２のセンサー２３０は、その感知動作がディスプレイパネル１３１乃至１３９を透過する光に干渉されないように赤外線センサーとし、当該パターン（図示せず）により形成された陰影を赤外線で感知することで、タッチ位置に対応するパターン（図示せず）を感知する。
【００７２】
制御部２４０は、第１のセンサー２２０の感知結果に基づいて、複数のディスプレイパネル１３１乃至１３９のうち、ポインティングデバイス２００がタッチしたディスプレイパネルを判別する。そして、制御部２４０は、第２のセンサーの感知結果に基づいて、ポインティングデバイス２００がタッチしたディスプレイパネル１３１乃至１３９内でポインティングデバイス２００のタッチ位置に関する座標情報を判断する。
【００７３】
例えば、ポインティングデバイス２００が第１のパネル１３１をタッチした場合に、制御部２４０は、第１のセンサー２２０により計測される光の点滅周期によって駆動周波数を算出し、算出した駆動周波数が第１のバックライトユニット１３１ａ（図３参照）に対応するものであることを判断できる。この判断は、ポインティングデバイス２００に既に記憶された駆動周波数とバックライトユニット１３１ａ乃至１３９ａとの対応関係テーブル（図示せず）から得られる。このように、第１のバックライトユニット１３１ａの特定により、制御部２４０は、ポインティングデバイス２００が第１のパネル１３１をタッチしていることが判断できる。
【００７４】
複数のディスプレイパネル１３１乃至１３９のうち第１のパネル１３１を特定すると、制御部２４０は、第２のセンサー２３０により感知されたパターン（図示せず）が第１のパネル１３１上のどの座標に対応するか判断する。この判断は、ポインティングデバイス２００に既に記憶されたパターン（図示せず）と座標との対応関係テーブル（図示せず）から得られる。
【００７５】
制御部２４０は、このようにして得られた第１のパネル１３１の識別ＩＤ情報及び座標情報をディスプレイ装置１００に伝送する。
【００７６】
一方、ディスプレイ装置１００の装置制御部１６０（図２参照）は、ポインティングデバイス２００から受信した識別ＩＤ情報及び座標情報に基づいて、複数のディスプレイパネル１３１乃至１３９のうち、いずれのパネルのいずれの位置に対応映像を表示するかを判断できる。
【００７７】
本実施例では、ポインティングデバイス２００がディスプレイパネル１３１乃至１３９の識別のための識別ＩＤ情報をディスプレイ装置１００に伝送する場合について説明したが、本発明の思想はこれに限定されない。例えば、ポインティングデバイス２００が第１のセンサー２２０により感知された駆動周波数情報をディスプレイ装置１００に伝送し、受信した駆動周波数情報に基づいて装置制御部１６０がディスプレイパネル１３１乃至１３９を判別する構成にしてもよい。
【００７８】
このように、ディスプレイパネル１３１乃至１３９のいずれか一つのパネル上にポインティングデバイス２００のタッチ位置に対応する映像が表示されている場合に、当該映像の映像特性を変更する必要がある。
【００７９】
図７は、ポインティングデバイス２００がディスプレイパネル１３１乃至１３９をタッチすることから該当のディスプレイパネル１３１乃至１３９上に対応映像を表示する例示図である。
【００８０】
図７に示すように、ユーザーがポインティングデバイス２００を把持して第１のパネル１３１をタッチすると、前述の構造によってポインティングデバイス２００のタッチ動作に対応する映像４１０が第１のパネル１３１に表示される。
【００８１】
この時、装置制御部１６０は、映像４１０の種々の映像特性を変更できるように提供されるメニュー４２０の映像を第１のパネル１３１に表示することができる。このメニュー４２０は、ポインティングデバイス２００のタッチ動作に対応する映像、例えば、ポインティングデバイス２００の移動軌跡に対応するラインの幅、カラー、スタイル、輝度、彩度、コントラストなどを変更できる種々のオプションを提供し、例えば、それらのオプションを変更できるアイコン（図示せず）またはテキストウィンドウ（図示せず）を含む。ユーザーは、ユーザー入力部１５０を介して、メニュー４２０が提供するオプションを調整することによって、装置制御部１６０が映像４１０の特性を変更して表示するようにする。
【００８２】
ユーザーの移動によってポインティングデバイス２００が、例えば第５のパネル１３５をタッチすると、装置制御部１６０は、第５のパネル１３５上に対応映像４１１を表示する。
【００８３】
ところが、複数のディスプレイパネル１３１乃至１３９を備えている大画面の電子黒板システム１では、ユーザーが第５のパネル１３５に表示された映像４１１の映像特性を調整しようとするとき、メニュー４２０が第１のパネル１３１に表示されていると、距離上の理由から、ユーザーにとってはメニュー４２０への接近が不便となる。すなわち、メニュー４２０が複数のディスプレイパネル１３１乃至１３９のいずれか一つに固定して表示されていると、ユーザーが映像４１１の特性を調整するのに不便がある。
【００８４】
この不具合を解消するために、下記の構成を提案する。
【００８５】
図８は、ポインティングデバイス２００のディスプレイパネル１３１乃至１３９へのタッチ動作に対応するメニュー４２１の表示方法の一例を示す図である。図８に示すように、ポインティングデバイス２００が第１のパネル１３１をタッチすると、対応映像４１０が第１のパネル１３１に表示され、メニュー４２０も第１のパネル１３１に表示される。これを初期状態とする。
【００８６】
その後、ポインティングデバイス２００が第５のパネル１３５をタッチすると、対応映像４１１が第５のパネル１３５に表示される。この時、装置制御部１６０は、第１のパネル１３１に表示されていたメニュー４２０を表示せず、第５のパネル１３５にメニュー４２１を表示する。ここで、第１のパネル１３１のメニュー４２０及び第５のパネル１３５のメニュー４２１は実質的に同じ内容のオプションを提供するが、表示位置が相互に異なることから、それぞれ異なった参照番号を付した。
【００８７】
このように、複数のディスプレイパネル１３１乃至１３９においてポインティングデバイス２００がタッチするディスプレイパネルが変更されても、この変更されたディスプレイパネルにメニュー４２１が表示されるので、ユーザーは対応映像４１１の特性を容易に調整することができる。
【００８８】
一方、図８ではポインティングデバイス２００が第５のパネル１３５をタッチする場合に、対応映像４１１及びメニュー４２１が併せて第５のパネル１３５に表示される場合を説明した。しかし、この場合、ポインティングデバイス２００が第５のパネル１３５をタッチする動作、または第５のパネル１３５に表示される対応映像４１１がメニュー４２１に干渉されることがある。
【００８９】
すなわち、ユーザーがポインティングデバイス２００でタッチしようとする第５のパネル１３５上の位置に既にメニュー４２１が表示されていたり、または対応映像４１１上にメニュー４２１がオーバーレイして表示されることで、対応映像４１１が隠される場合がある。
【００９０】
この不具合を解消するために、下記の構成を提案する。
【００９１】
図９は、ポインティングデバイス２００のディスプレイパネル１３１乃至１３９へのタッチ動作に対応するメニュー４２２，４２３の表示方法の他の例を示す図である。図９に示すように、ポインティングデバイス２００が第１のパネル１３１をタッチすることによって、対応映像４１０が第１のパネル１３１に表示され、メニュー４２０も第１のパネル１３１に表示されている。これを初期状態とする。
【００９２】
その後、ポインティングデバイス２００が第５のパネル１３５をタッチすると、対応映像４１１が第５のパネル１３５に表示され、且つ、装置制御部１６０は、第５のパネル１３５の上下左右の４方向に位置しているパネル１３２，１３４，１３６，１３８のいずれか一方を選択する。
【００９３】
装置制御部１６０は、第１のパネル１３１に表示されていたメニュー４２０を表示せず、当該選択されたディスプレイパネル１３２，１３４，１３６，１３８のいずれか一方にメニュー４２２，４２３を表示する。
【００９４】
同図では、第４のパネル１３４及び第６パネル１３６のそれぞれに同時にメニュー４２２，４２３が表示されているが、これは、両メニュー４２２，４２３が同時に表示されていることを意味するのではなく、第５のパネル１３５に隣接したパネル１３２，１３４，１３６，１３８のうち、左右パネル１３４，１３６にメニュー４２２，４２３が表示される場合を、一つの図面に示していることに注意されたい。
【００９５】
すなわち、装置制御部１６０は、第５のパネル１３５の左側に隣接している第４のパネル１３４にメニュー４２２を表示したり、または、第５のパネルの右側に隣接している第６のパネル１３６にメニュー４２３を表示することができる。または、装置制御部１６０は、第５のパネル１３５の上側に隣接している第２のパネル１３２又は第５のパネル１３５の下側に隣接している第８のパネル１３８にメニュー４２２，４２３を表示してもよい。
【００９６】
このようなパネル１３２，１３４，１３６，１３８からのいずれか一つの選択は、装置制御部１６０にあらかじめ設定されており、装置制御部１６０は、ポインティングデバイス２００がタッチしたものと判別されたパネル１３５を基準に、様々にあらかじめ設定された順序にしたがって隣接パネル１３２，１３４，１３６，１３８のいずれかを選択すればよい。
【００９７】
例えば、ユーザーの使用パターンに基づいて、ユーザーが映像４１１の右側にいる場合が多いと判断される場合には、ポインティングデバイス２００がタッチしたと判別されたパネル１３５の右側パネル４２３がまず選択されるように設定可能である。もし、判別されたパネル１３３の右側にいかなるパネルもない場合には、パネル１３３の左側パネル１３２が選択されるように設定可能である。このような設定は、設計に当たって種々に変更可能な事項であり、本発明の思想を限定するものではない。
【００９８】
また、同図に示すように、第５のパネル１３５の左側に隣接した第４のパネル１３４にメニュー４２２が表示される場合に、メニュー４２２が第４のパネル１３４上において第５のパネル１３５に近接した位置に表示されるように設定すればよい。
【００９９】
例えば、メニュー４２２が第４のパネル１３４上の左側に配置されるのがデフォルト（ｄｅｆａｕｌｔ）設定であるとすれば、装置制御部１６０は、メニュー４２２へのユーザーの接近が容易となるように、該デフォルト設定の位置に代え、第５のパネル１３５に近接した別の位置、例えば、第４のパネル１３４上の右側に配置されるように調整することができる。これも設計に当たって種々に変更可能な事項であり、本発明の思想を限定するものではない。
【０１００】
図１０は、図９におけるディスプレイパネル１３１乃至１３９のうち、第４のパネル１３４及び第５のパネル１３５を示す例示図である。図１０に示すように、装置制御部１６０は、ポインティングデバイス２００が第５のパネル１３５をタッチしたと判断すると、対応映像４１１を第５のパネル１３５に表示する。
【０１０１】
もし、第５のパネル１３５を基準に左側パネルである第４のパネル１３４にメニュー４２２ａ，４２２ｂ，４２２ｃ，４２２ｄを表示するようにあらかじめ設定されていると、装置制御部１６０は、第４のパネル１３４にメニュー４２２ａ，４２２ｂ，４２２ｃ，４２２ｄを表示することができる。
【０１０２】
ここで、第４のパネル１３４にメニュー４２２ａ，４２２ｂ，４２２ｃ，４２２ｄを表示可能な位置としては、例えば、第４のパネル１３４の左側、右側、上側、下側の複数の箇所をあらかじめ設定することができる。装置制御部１６０は、これら複数の箇所のいずれか一方にメニュー４２２ａ，４２２ｂ，４２２ｃ，４２２ｄを表示する。
【０１０３】
装置制御部１６０は、第４のパネル１３４の左側にメニュー４２２ａを表示するのがデフォルト設定となっている場合に、当該位置にメニュー４２２ａを表示することができる。しかし、このように表示されたメニュー４２２ａは、第５のパネル１３５から相対的に遠く離れており、ユーザーの接近が不便である。
【０１０４】
そこで、装置制御部１６０は、第４のパネル１３４においてメニュー４２２ａ，４２２ｂ，４２２ｃ，４２２ｄを表示可能な、あらかじめ設定された複数の位置から、ポインティングデバイス２００がタッチしたと判別した第５のパネル１３５に最も近接した箇所を選択し、該箇所にメニュー４２２ｂを表示する。
【０１０５】
これにより、ユーザーのメニュー４２２ａ，４２２ｂ，４２２ｃ，４２２ｄへの接近を容易にさせる。
【０１０６】
以下、本実施例に係るポインティングデバイス２００の制御方法について、図１１を参照して説明する。図１１は、本実施例に係るポインティングデバイス２００の制御過程を示すフローチャートである。
【０１０７】
図１１に示すように、ポインティングデバイス２００が複数のディスプレイパネルのいずれか一方をタッチする（Ｓ１００）。
【０１０８】
ポインティングデバイス２００は、タッチしたディスプレイパネルに光を供給するバックライトユニットの駆動周波数を感知し（Ｓ１１０）、感知した駆動周波数に基づいて、タッチしたディスプレイパネルを判別する（Ｓ１２０）。
【０１０９】
ポインティングデバイス２００は、ディスプレイパネルにおいてタッチ位置に形成されたパターンを感知し（Ｓ１３０）、感知したパターンに基づいてタッチ位置の座標情報を導出する（Ｓ１４０）。ポインティングデバイス２００は、判別したディスプレイパネルの識別ＩＤ情報及びタッチ位置の座標情報をディスプレイ装置１００に伝送する（Ｓ１５０）。
【０１１０】
以下、本実施例に係るディスプレイ装置１００の制御方法について、図１２を参照して説明する。図１２は、本実施例に係るディスプレイ装置１００の制御過程を示すフローチャートである。
【０１１１】
図１２に示すように、ディスプレイ装置１００は、ポインティングデバイス２００から識別ＩＤ情報及び座標情報を受信する（Ｓ２００）。
【０１１２】
ディスプレイ装置１００は、識別ＩＤ情報に対応するディスプレイパネルを判別し（Ｓ２１０）、座標情報に対応する映像を判別したディスプレイパネルに表示する（Ｓ２２０）。ディスプレイ装置１００は、判別したディスプレイパネルを基準に、複数のディスプレイパネルからいずれか一つを選択する（Ｓ２３０）。ディスプレイ装置１００は、選択したディスプレイパネルに、当該映像に関連したメニューを表示する（Ｓ２３０）。
【０１１３】
以上説明した通り、本実施例によれば、複数のディスプレイパネル１３１乃至１３９のうち、ポインティングデバイス２００によりタッチされたディスプレイパネル１３１乃至１３９を判別し、判別したディスプレイパネル１３１乃至１３９を基準に、複数のディスプレイパネル１３１乃至１３９からいずれか一つを選択し、選択したディスプレイパネル１３１乃至１３９にメニューを表示する。ここで、「判別したディスプレイパネル１３１乃至１３９」及び「選択したディスプレイパネル１３１乃至１３９」は、システムまたは装置を設計した方式によって相互に同じパネルであっても、相互に異なったパネルであってもよい。相互に異なったパネルであると、「選択したディスプレイパネル１３１乃至１３９」は、「判別したディスプレイパネル１３１乃至１３９」の上下左右方向のいずれか隣接した一つのパネルである。
【０１１４】
これにより、大画面の構成を有する電子黒板システム１においてユーザーが移動してポインティングデバイス２００でディスプレイパネル１３１乃至１３９をタッチしても、ユーザーは対応映像の映像特性を容易に変更することができる。
【０１１５】
以上説明した実施例は例示的なものに過ぎず、当該技術の分野における通常の知識を有する者であれば、種々の変形及び均等な他の実施例が可能である。したがって、本発明の真の技術的保護範囲は下記の特許請求の範囲に記載された発明の技術的思想により定められるべきであろう。
【符号の説明】
【０１１６】
１        電子黒板システム
１００    ディスプレイ装置
１１０    映像受信部
１２０    映像処理部
１３０    ディスプレイ部
１４０    装置通信部
１５０    ユーザー入力部
１６０    装置制御部
２００    ポインティングデバイス
２１０    通信部
２２０    第１のセンサー
２３０    第２のセンサー
２４０    制御部
【図１】
2013257867.tif 000003
【図２】
2013257867.tif 000004
【図３】
2013257867.tif 000005
【図４】
2013257867.tif 000006
【図５】
2013257867.tif 000007
【図６】
2013257867.tif 000008
【図７】
2013257867.tif 000009
【図８】
2013257867.tif 000010
【図９】
2013257867.tif 000011
【図１０】
2013257867.tif 000012
【図１１】
2013257867.tif 000013
【図１２】
2013257867.tif 000014